【事件の表示】
　平成　５年特許願第１２１０７９号「カメラシステム」拒絶査定に対する審判事件［平成　６年１２月　２日出願公開、特開平　６−３３２６９１］について、次のとおり審決する。
【結　論】
　本件審判の請求は、成り立たない。
【理　由】
Ａ．本願は、平成　５年　５月２４日の出願であって、その請求項に係る発明は、特許請求の範囲の請求項に記載された事項により特定されるとおりのものであると認める。
これに対して、平成１５年　４月　７日付けで拒絶理由を通知し、期間を指定して意見書を提出する機会を与えたが、請求人からは何らの応答もない。
　
Ｂ．当審の拒絶理由
　当審において平成１５年４月７日付けで通知した拒絶の理由は、以下のとおりである。
　「本件出願の請求項１に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　記
引用文献
１．特開平４−２７６８３８号公報
２．特開平２−６８６２３号公報
３．特開平３−１３５６２８号公報
４．特開平１−２０１６３４号公報
５．特開昭６２−２５７３３号公報
　
　上記引用文献１（特開平４−２７６８３８号公報）は原審の拒絶理由において引用されたものであるが、そこには、
　「【０００１】〔発明の目的〕　
【産業上の利用分野】本発明は、システム動作用プログラムを電気的に消去／書換え可能な不揮発性メモリを有するメモリ内蔵ＣＰＵ装置、つまりワンチップマイクロコンピュータに関するもので、特にユーザが使用するシステムボード上に組込まれた状態で、その不揮発性メモリの内容を書換える必要のあるシステムにおいて使用されるものである。」
　「【００１１】〔発明の構成〕　
【００１２】
【課題を解決するための手段】本発明のメモリ内蔵ＣＰＵ装置は、ノーマルモードと書換えモードとを選択的に設定するモード設定部と、モード設定部にノーマルモードが設定されているときに動作するシステムプログラムを格納し電気的に消去／書換え可能な第１の不揮発性メモリと、モード設定部に書換えモードが設定されているときに動作しシステムプログラムを書換える書換えプログラムを格納する第２の不揮発性メモリとを備えている。」と、記載されており、又その段落【００１４】〜【００１９】には、ＮＶメモリ（不揮発性メモリ）５の内容を書き換えるための構成および手順が記載されており、又、段落【００２２】には、
　「【００２２】（略）また、ＮＶメモリ５は一括消去としたが、ブロック消去・・・であってもアルゴリズムを変えることで実現可能である。（以下略）」と、記載されている。
　即ち、引用文献１には、システム動作用プログラムを電気的に消去／書き換え可能な不揮発性メモリに有するワンチップマイクロコンピュータにおいて、その不揮発性メモリの内容を書き換えること、及び、その書き換えはブロック消去でも行なえることが記載されている。
　
　上記引用文献２（特開平２−６８６２３号公報）も原審の拒絶理由において引用されたものであるが、そこには、
　「〔産業上の利用分野〕
本発明は、プログラム修正方式に関し、特に市販した後に検出されたプログラムの不具合（バグ）を修正するためのプログラム修正方式に関する。
〔従来の技術〕
　電子計算機には、様々なプログラムが準備され、販売されているが、誤操作を含めた使用方法に起因するプログラムの誤動作などを含めると販売開始までの間に全ての問題点を解決することは実際上不可能であり、出荷後のプログラム修正は必須である。」（第１頁左下欄第１４行〜同頁右下欄第８行目）
　「〔課題を解決するための手段〕
　本発明のプログラム修正方式は、媒体に記録されているプログラムの共通領域に、媒体の種類を示す製品コードと、同一の製品内で区別を示すロットコードを持ち、プログラムの修正を行うときには、バッチプログラムがこの記録された情報を見て媒体の種別を判読し、多数ある修正情報から該当する情報を選択して自動的に修正を行う。」（第２頁左上欄第３から１０行目）
　「第３図は、この媒体内のデータを修正するために使われるバッチプログラム内にある、修正情報を記憶したデータを示す。第３図において、本実施例のプログラム修正方式について実際にプログラムをバッチする手順を説明する。プログラムのバッチは、先ずユーザーがバッチプログラムを入手することから始まる。・・・このバッチ用媒体は、本発明の方式に於いては、バッチの必要な媒体の種類に関係なく一種類であるため、従来と異なり事前に入手することができる。
　ユーザーは、この媒体とバッチ対象となる媒体を自分のシステムに接続し、バッチプログラムを起動するだけでよい。
　バッチプログラムは、起動されたとき対象媒体に記録されている製品コードとロットコードを読み取り、自分の中に持っている表と一致した内容の修正を自動的に行う。この手順を第４図に示す。」（第２頁右上欄第８行〜同頁左下欄第９行目）
　「〔発明の効果〕
　以上説明したように、本発明のプログラム修正方式は、媒体内にあらかじめ製品の種類と製品内での区分を識別するためのコードを書き込んでおき、バッチプログラムがこの識別コードを読み込んで複数の修正項目の中から該当する項目を自動的に選び修正を実行することにより、バッチ媒体を１種類にすることができ、この結果、ユーザーでの修正ミスをなくし、また修正に要する期間の短縮が計れる。」（第２頁左下欄第１５行〜同頁右下欄第４行目）と記載されている。
　即ち、引用文献２には、プログラムの修正対象媒体内に、対象媒体の製品コードとロットコードを記録しておくことにより、プログラム修正時に、該製品コードとロットコードを読取ることにより、自分に該当する修正項目のみを自動的に選び、修正を実行するプログラム修正方式が記載されている。
　
　引用文献３（特開平３−１３５６２８号公報）は、原審拒絶査定時に周知例として引用されたものであり、そこには、
　「一般に、端末装置においては、各種装置に対応する機能が要求される。このため、例えばパリティー、ボーレイト等を設定するための情報を予めセットアップ情報としてＥＥＰＲＯＭ等に格納しておき、電源オン時にＥＥＰＲＯＭ内からセットアップ情報をリードし、その内容をＲＡＭ内のセットアップ情報エリアにコピーするよう構成され、必要に応じてセットアップ情報を変更可能に構成されたものが多い。
　第４図は、このような従来の端末装置におけるセットアップ情報の変更フローを示すものである。この図に示されるように、端末装置においては、オペレータからセットアップ情報を変更する旨の入力が有り、変更事象発生と判断された場合は（１０１）、まずＲＡＭ内のセットアップ情報を変更する（１０２）。そして、続いてライト・コマンドの入力があった場合のみＲＡＭ内のセットアップ情報（変更されたセットアップ情報全体）をＥＥＰＲＯＭ内に書き込む（１０４）。
　このようにしてセットアップ情報を変更することにより、各種装置に対応することができる。また、ＥＥＰＲＯＭのセットアップ情報を書き換えておけば、次に電源をオンした時も、この変更したセットアップ情報に基いて機能が設定されることになる。」（第１頁左下欄第２０行〜第２頁左上欄第５行目）と記載されている。
　即ち、引用文献３には、ＥＥＰＲＯＭ内に格納されているセットアップ情報を変更する場合に、まず、変更されたセットアップ情報をまずＲＡＭ内に書込み、その後、該変更された情報をＥＥＰＲＯＭに書込むようにしたものが記載されている。
　
　上記引用文献４（特開平１−２０１６３４号公報）は、本願明細書中において、ＡＦ調整の中のズームピント補正のやり方の説明として記載されているものであり、そこには、
　「次に、オートフォーカスのためのレンズ繰出量の演算について説明する。被写体距離ｌの逆数の距離データ１／ｌはＡＦＩＣ２２より整数６ビット，小数６ビットのデータとしてＣＰＵ１１に与えられる。このカメラはインナーフォーカス方式であるため、第６図に示すように、同じ距離でも、ズーム位置（焦点距離）によってレンズ繰出し量（レンズ繰出しパルス）Ｓが異なる。すなわち、第６図では、テレ端，スタンダード（標準），ワイド端の各状態におけるカーブを代表して描いてあるが、ワイド端位置１からテレ端位置６０までのカーブがそれぞれ異なる６０本のレンズ繰出しカーブにしたがってレンズ繰出しが行われるようになっている。」（第４頁右下欄第１６行〜第５頁左上欄第９行目）
　「したがって、今、ズーム環４０を操作してズームエンコーダ値ｉを設定すると、この設定されたエンコーダ値ｉに応じたズーム計数ＣｆｉがＲＯＭより読み出されることになる。一方、ＡＦＩＣ１６で測距された被写体距離に対応してテレ端におけるレンズ繰出し量がＲＯＭより読み出される。そして、このテレ端におけるレンズ繰出し量をもとにして上記ズーム係数ＣＦｉを用いてＣＰＵ１１にて演算が行われ、上記設定されたズームエンコーダ値ｉにおけるレンズ繰出し量が求められる。」（第５頁右上欄第７から６行目）
　「上述した事柄はズームレンズが設計どおりの場合の話であるが、実際には各レンズ毎にバラツキがあるため、このバラツキ分だけ、第６図に示すカーブが上または下に平行移動するような結果となる。この平行移動分は、レンズによって異なることは勿論であるが、テレ端位置，ワイド端位置でズレ量を０に調整したとしても、その間のズーム位置ではズレ量が０にはならず、例えば、第７図に示すようになる。」（第５頁左下欄第１０〜１８行目）
　「そこで、このカメラでは上記ズレデータを５つのデータＤｋ（ｋ＝０〜４）としてＥ２−ＰＲＯＭ１４に記憶しておく。」（第５頁右上欄第１〜３行目）
　「なお、上記式（２），（３）から明らかなように、テレ端位置，ワイド端位置での調整がずれている場合でも（０でなくても）、これをＥ２−ＰＲＯＭ１４に記憶させておくことにより補正を行うことができる。」（第５頁左上欄第１８行〜同頁右上欄第２行目）
　「上述したように、この実施例では、まず、ＡＦＩＣ１６より距離情報を得て、そのデータよりＣＰＵ１１に記憶されているテレ時のレンズ繰出し量のデータを捜し、次いでズームエンコーダ値ｉよりズーム係数Ｃｆｉを得てＣＰＵ１１内で演算を行って現在の焦点距離におけるレンズ繰出し量を求める。さらに、ここで、ズームエンコーダ値ｉより各カメラ毎のバラツキデータＤｋをＥ２−ＰＲＯＭ１４より読み出し、これによって上記繰出し量を補正して実際のレンズ繰出し量を求める。」（第６頁右上欄第３〜１２行目）と記載されている。
　即ち、引用文献４には、Ｅ２−ＰＲＯＭを内蔵したＡＦズームレンズカメラにおいて、レンズをズームさせた場合に、ＡＦ測距結果に基づいてレンズの繰出し量を求め焦点調節する時、実際のレンズにはバラツキがあるので、その補正量を記憶させておき、実際の焦点調節時には、ＡＦ測距結果に基づくレンズ繰出し量にバラツキによる補正を行ってレンズを繰り出すようにしたものが記載されている。
　なお、このような補正の仕方は、例えば、特開平４−３６７８０９号公報，特開平４−３６７８１２号公報等にも記載されている。
　
　上記引用文献５（特開昭６２−２５７３３号公報）は、本願明細書中において、不揮発性メモリを利用した測光値補正の一例として記載されているものであり、そこには、
　「〔産業上の利用分野〕
　この発明は、カメラの電気的調整回路、詳しくはカメラの電気回路の調整手段に関するものである。」（第１頁右下欄第１１〜１４行目）
　「ところで、最近、不揮発性のデジタルメモリー素子として小容量のＥＥＰＲＯＭ（Electrically erasable and programmable read only memory）が開発されている。」（第２頁左下欄第１７〜２０行目）
　「本発明の電気的調整回路は、デジタル値に基づいて演算するに際してデジタル化された補正データを不揮発性メモリー素子から読み込み、該補正データを含んだ演算処理後、その演算出力に基づいてカメラの露出制御回路・・・を制御することによりアナログ的な調整を不要としたもので、上記補正データはカメラの組立工程中において、カメラ個々の各種バラツキ要因を含んだ制御結果の適正値からの誤差量を測定して適正量になるべきデータを書込む（以下略）。」
　「第１図は本発明の第１実施例を示すものであって、不揮発性デジタルメモリー（以下、単にメモリー素子という）２０は、ジャンパー２１がされている状態でデータライン２２からのデータを、そのメモリー領域に書込むことができる。組立工程では一定輝度をカメラに対して与え、その時の露出量の適正露出値からのずれ量を較正された試験器により測定した測定値に基づいて、必要なデータを図示しない書込み装置を用いてメモリー素子２０に対して書込む。」（第３頁右上欄第１１〜２０行目）
　「また、書込むデータは以下のようにして決められる。Ａ／Ｄ変換後のデータは・・・、それぞれに誤差を含むから露出値はΔＣｖ＝ΔＳｖ＋ΔＢｖ−ΔＡｖだけずれることになるので、メモリー素子２０にはΔＣｖに相当するデジタルデータを書込んでおく。演算装置１１は各データのＡ／Ｄ変換の前後にメモリー素子２０からΔＣｖに相当したデータを読み込んで、
　　Ｔｖ＝Ｂｖ′＋Ｓｖ′−Ａｖ′−ΔＣｖ
の計算を行なう。すると、得られるＴｖ値は
　　Ｔｖ＝Ｂｖ＋Ｓｖ−Ａｖ
となり、誤差がキャンセルされて適正なシャッタスピード値が求まる。」（第３頁左下欄第５〜１７行目）と記載されている。
　即ち、引用文献５には、ＥＥＰＲＯＭを内蔵したカメラにおいて、測光値に基づいて露出制御をする場合に、カメラ個々の各種バラツキ要因によって露出値が適正値からずれることがあるので、カメラの組立時に露出量の適正露出値からのずれ量を測定し、必要なデータをメモリー素子に書込んでおき、撮影時には、該データを用いて露出計算を行なうことによって、誤差がキャンセルされた適正なシャッタースピード値を求めることができるものが記載されている。
　
　したがって、引用文献１に記載の、システム動作用プログラムを電気的に消去／書き換え可能な不揮発性メモリに有するワンチップマイクロコンピュータにおいて、その不揮発性メモリの内容の書き換えをブロック単位で行なうものを、引用文献４，５に記載のカメラシステムに適用し、該不揮発性メモリに記憶されているプログラムの書き換えのやり方として、引用文献２に記載の発明を適用して、不揮発メモリ内に、システムの回路バージョン（引用文献２における「製品コード」と「ロットコード」に対応する。）を記憶させ、バージョンアップ時には、該不揮発性メモリに記憶されたバージョン情報に基づいて選択されたプログラムを該不揮発性メモリに書き込むと共に、引用文献４，５に記載の発明を適用し、カメラの調整時、即ち、製造組立時に、製造組立のバラツキによる補正量をまず揮発性メモリに書き込み、その後不揮発性メモリに書き込むように構成して、本願請求項１に係る発明のように構成することは、当業者が容易に発明をすることができたものと認められる。」
というものである。
　
Ｃ．そして、上記の拒絶理由は妥当なものと認められるので、本願は、この拒絶理由によって拒絶すべきものである。
　
よって、結論のとおり審決する。